(57)【要約】【課題】テープカートリッジの保護機能を維持しながら、軽く且つテープカートリッジの一部を露出することができる保護具を提供する。【解決手段】略直方体形状のテープカートリッジ１の８つのコーナー部を少なくとも保護するテープカートリッジ用保護具１０であって、テープカートリッジに互いに離間して装着される複数のコーナー保護片１１ａ，１１ｂと、複数のコーナー保護片を連結する複数の連結具１２ａ，１２ｂとを備える。複数のコーナー保護片のそれぞれは、テープカートリッジの８つのコーナー部のうちの少なくとも２つを保護する。複数の連結具のうちの少なくとも一つは切り離し可能である。【選択図】図１
2010202243.tif 000002
【特許請求の範囲】
【請求項１】
略直方体形状のテープカートリッジの８つのコーナー部を少なくとも保護するテープカートリッジ用保護具であって、
前記テープカートリッジに互いに離間して装着される複数のコーナー保護片と、前記複数のコーナー保護片を連結する複数の連結具とを備え、
前記複数のコーナー保護片のそれぞれは、前記８つのコーナー部のうちの少なくとも２つを保護し、
前記複数の連結具のうちの少なくとも一つは切り離し可能であることを特徴とするテープカートリッジ用保護具。
【請求項２】
前記テープカートリッジのリール穴に嵌入するボスを更に備える請求項１に記載のテープカートリッジ用保護具。
【請求項３】
シリコーンゴム、ＰＥ、ＰＰ、及び、ウレタンからなる群から選ばれた少なくとも一種を含む材料からなる請求項１又は２に記載のテープカートリッジ用保護具。
【請求項４】
前記材料の発泡体からなる請求項３に記載のテープカートリッジ用保護具。
【請求項５】
前記テープカートリッジの８つのコーナー部のうち、最も近接した２つのコーナー部は共通するコーナー保護片で保護される請求項１〜４のいずれかに記載のテープカートリッジ用保護具。
【請求項６】
外表面又は前記テープカートリッジに接する面の少なくとも一部に、凹凸形状が形成されている請求項１〜５のいずれかに記載のテープカートリッジ用保護具。
【発明の詳細な説明】
【技術分野】
【０００１】
本発明は、テープカートリッジ用保護具に関する。特に、輸送時や落下時等において外部から加えられる衝撃を吸収、分散して、カートリッジの破損を防止する保護具に関する。
【背景技術】
【０００２】
例えば放送局などで使用される磁気テープカートリッジを収納する場合には、図９に示すような専用のケース９０が用いられる。このケース９０は、テープカートリッジ１を収納するケース本体９１と、蓋体９２と、これらの間の壁板９３とを備える。ケース本体９１と壁板９３、蓋体９２と壁板９３は、それぞれ屈曲可能なヒンジ９４，９５で連結されている。ケース本体９１内にテープカートリッジ１を収納し、蓋体９２をケース本体９１に重ね合わせることにより、テープカートリッジ１をケース本体９１内に収納することができる（例えば特許文献１参照）。
【先行技術文献】
【特許文献】
【０００３】
【特許文献１】特開平７−３１５４７１号公報
【発明の概要】
【発明が解決しようとする課題】
【０００４】
上記の従来のケース９０は、テープカートリッジ１の外面を全て覆う構造である。従って、テープカートリッジを外から見ることができず、また、重量が重くなるという問題がある。更に、ケース９０が重くなることにより、輸送時等での取り扱い性が低下する、落下時の衝撃が大きくなりテープカートリッジ１やケース９０が破損しやすい、ケース９０の樹脂材料使用量が多くなりコスト高となる等の問題がある。
【０００５】
本発明は従来のケースの上記の問題を解決し、テープカートリッジの保護機能を維持しながら、軽く且つテープカートリッジの一部を露出することができるテープカートリッジ用保護具を提供することを目的とする。
【課題を解決するための手段】
【０００６】
本発明のテープカートリッジ用保護具は、略直方体形状のテープカートリッジの８つのコーナー部を少なくとも保護するテープカートリッジ用保護具であって、前記テープカートリッジに互いに離間して装着される複数のコーナー保護片と、前記複数のコーナー保護片を連結する複数の連結具とを備え、前記複数のコーナー保護片のそれぞれは、前記８つのコーナー部のうちの少なくとも２つを保護し、前記複数の連結具のうちの少なくとも一つは切り離し可能であることを特徴とする。
【発明の効果】
【０００７】
上記の本発明のテープカートリッジ用保護具は、最も衝撃を受けやすいテープカートリッジの８つコーナー部を全て保護するので、十分なテープカートリッジ保護機能を有している。
【０００８】
しかも、本発明のテープカートリッジ用保護具は、互いに離間して装着される複数のコーナー保護片と、これらを連結する複数の連結具とから構成されるので、テープカートリッジの外表面の一部を露出することができる。また、材料使用量を少なくすることができるので、軽量且つ低コストである。
【０００９】
また、複数の連結具のうちの少なくとも一つは切り離し可能であるので、本発明のテープカートリッジ用保護具は、テープカートリッジに対する取り付け／取り外しが容易である。また、取り付け後は、テープカートリッジからの脱落の可能性は低い。
【図面の簡単な説明】
【００１０】
【図１】図１は、本発明の実施の形態１に係るテープカートリッジ用保護具の概略構成を示した斜視図である。
【図２】図２は、本発明の実施の形態１に係るテープカートリッジ用保護具の概略構成を示した側面図である。
【図３】図３は、本発明の実施の形態１に係るテープカートリッジ用保護具の連結具に設けられたスナップフィット機構を示した斜視図である。
【図４】図４は、本発明の実施の形態２に係るテープカートリッジ用保護具の概略構成を示した斜視図である。
【図５】図５は、本発明の実施の形態３に係るテープカートリッジ用保護具の概略構成を示した斜視図である。
【図６】図６は、本発明の実施の形態４に係るテープカートリッジ用保護具の概略構成を示した斜視図である。
【図７】図７は、本発明の実施の形態４に係る別のテープカートリッジ用保護具の概略構成を示した斜視図である。
【図８】図８は、本発明の実施の形態５に係るテープカートリッジ用保護具の概略構成を示した斜視図である。
【図９】図９は、テープカートリッジを収納する従来のケースの一例を示した斜視図である。
【発明を実施するための形態】
【００１１】
上記の本発明のテープカートリッジ用保護具は、前記テープカートリッジのリール穴に嵌入するボスを更に備えることが好ましい。これにより、リールの位置を規制することができるので、衝撃が加えられたときにリールが破損したり、リールに巻回された磁気テープ（特にテープエッジ）が破損したりするのを防止することができる。ボスは、コーナー保護片及び連結具のいずれに設けられても良い。
【００１２】
上記の本発明のテープカートリッジ用保護具は、シリコーンゴム、ＰＥ、ＰＰ、及び、ウレタンからなる群から選ばれた少なくとも一種を含む材料からなることが好ましい。これらの材料は、衝撃吸収性、柔軟性、被圧縮性等に優れるからである。
【００１３】
この場合、上記の本発明のテープカートリッジ用保護具は前記材料の発泡体からなることが好ましい。これにより、テープカートリッジ用保護具の衝撃吸収性が向上する。
【００１４】
前記テープカートリッジの８つのコーナー部のうち、最も近接した２つのコーナー部は共通するコーナー保護片で保護されることが好ましい。これにより、コーナー保護片を小さくすることができるので、テープカートリッジの露出面積が増大し、また、材料使用量を少なくして保護具の軽量化と低コスト化を図ることができる。
【００１５】
外表面又は前記テープカートリッジに接する面の少なくとも一部に、凹凸形状が形成されていることが好ましい。これにより、テープカートリッジ用保護具の衝撃吸収性が向上する。
【００１６】
以下に、本発明に係るテープカートリッジ用保護具（以下、単に「保護具」という）を、好適な実施の形態を示しながら詳細に説明する。但し、本発明は以下に示す実施の形態に限定されないことはいうまでもない。
【００１７】
（実施の形態１）
図１は本発明の実施の形態１に係る保護具１０の概略構成を示した斜視図、図２は保護具１０の側面図である。図１、図２は、保護具１０を２つのリールを内蔵した２リール型のテープカートリッジ１に装着した状態を示しており、保護具１０の構成を理解しやすいように、テープカートリッジ１はその輪郭線のみを二点鎖線で示している。以下の説明の便宜のために、略直方体形状のテープカートリッジ１を取り囲む６面のうち、最も面積が大きい２面を「主面」と呼ぶ。テープカートリッジ１の主面と直交する軸をＺ軸、Ｚ軸と直交し主面の長辺と平行な軸をＸ軸、Ｚ軸と直交し主面の短辺と平行な軸をＹ軸とする。テープカートリッジ１の主面に隣接する４面のうち、Ｘ軸と平行な面を「長辺側面」、Ｙ軸と平行な面を「短辺側面」と呼ぶ。
【００１８】
保護具１０は、２つのコーナー保護片１１ａ，１１ｂと、２つのコーナー保護片１１ａ，１１ｂを連結する２つの連結具１２ａ，１２ｂとを備える。
【００１９】
コーナー保護片１１ａ，１１ｂは、いずれも略箱形状を有し、テープカートリッジ１のＸ軸方向の両端部に、互いに離間してそれぞれ嵌着されている。コーナー保護片１１ａは、テープカートリッジ１の２つの短辺側面のうちの一方の四隅に配された４つのコーナー部１ａ，１ｂ，１ｃ，１ｄを覆ってこれらを保護している。同様に、コーナー保護片１１ｂは、テープカートリッジ１の２つの短辺側面のうちの他方の四隅に配された４つのコーナー部１ｅ，１ｆ，１ｇ，１ｈを覆ってこれらを保護している。
【００２０】
連結具１２ａ，１２ｂは、テープカートリッジ１の２つの主面に沿ってそれぞれ配置される。
【００２１】
テープカートリッジ１の上側の主面上に配される連結具１２ａは連結具片１２ａ１及び連結具片１２ａ２からなり、これらはスナップフィット機構１５により切り離し可能に接続されている。図３にスナップフィット機構１５の概略構成を示す。コーナー保護片１１ａに接続された連結具片１２ａ１の端部には略キノコ状の突起１５ａが形成されており、コーナー保護片１１ｂに接続された連結具片１２ａ２の端部には貫通穴１５ｂが形成されている。突起１５ａを貫通穴１５ｂを嵌入させることで連結具片１２ａ１と連結具片１２ａ２とを連結することができる。逆に、突起１５ａを貫通穴１５ｂから引き抜くことで、連結具片１２ａ１と連結具片１２ａ２とを切り離すことができる。連結具１２ａに設けられるスナップフィット機構の構成は、図３に限定されず、これ以外の公知のスナップフィット機構を用いることができる。また、連結具片１２ａ１と連結具片１２ａ２との接続／切り離しを繰り返し行うことができれば、その構造はスナップフィット機構に限定されない。例えば、面ファスナー（具体的には「マジックテープ」（株式会社クラレの登録商標）など）を用いることができる。
【００２２】
テープカートリッジ１の下側の主面上に配される連結具１２ｂの、テープカートリッジ１に対向する側の面には２つのボス１３ａ，１３ｂが設けられている。ボス１３ａ，１３ｂは、テープカートリッジ１の２つのリールに設けられた駆動軸挿入用の穴（リール穴、図示せず）に挿入されて、リールの位置を規制する。
【００２３】
保護具１０の材料としては、特に制限はないが、衝撃吸収性、柔軟性、被圧縮性を有していることが好ましく、例えば、シリコーンゴム、ＰＥ（ポリエチレン）、ＰＰ（ポリプロピレン）、及び、ウレタンからなる群から選ばれた少なくとも一種を含む材料を用いることができる。特に、これらの材料の発泡体を用いると、より優れた衝撃吸収性が得られるので好ましい。保護具１０は、これらの材料を用いて一体成形にて製造することができる。なお、スナップフィット機構１５は、他の部分に比べて相対的に大きな機械的強度を有する硬質の材料（例えば上記の材料の非発泡体）を用いて構成しても良い。
【００２４】
テープカートリッジ１へ保護具１０を装着するには、まず、テープカートリッジ１のＸ軸方向の両端部にコーナー保護片１１ａ，１１ｂをそれぞれ嵌着するとともに、テープカートリッジ１のリール穴にボス１３ａ，１３ｂを挿入し、次いで連結具片１２ａ１と連結具片１２ａ２とを接続すればよい。テープカートリッジ１から保護具１０を取り外すには、まず、連結具片１２ａ１と連結具片１２ａ２とを切り離し、次いで、コーナー保護片１１ａ，１１ｂをテープカートリッジ１から取り除けばよい。保護具１０は、柔軟性を有し、適度に変形及び伸びることができるので、保護具１０の装着及び取り外しの作業を容易に行うことができる。
【００２５】
上記の保護具１０は一例であって、種々に変更することができる。
【００２６】
例えば、ボス１３ａ，１３ｂを、連結具１２ｂではなく、連結具１２ａに設けてもよい。または、後述する実施の形態４（図６、図７参照）のように、ボスを連結具１２ｂではなく、コーナー保護片１１ａ，１１ｂに設けてもよい。あるいは、ボス１３ａ，１３ｂを省略してもよい。
【００２７】
連結具１２ａに加えて、連結具１２ｂも切り離し可能に構成してもよい。この場合、保護具１０は、独立した２部品から構成されることになる。
【００２８】
コーナー保護片１１ａ，１１ｂを連結する連結具を、後述する実施の形態４（図６、図７参照）のように２つの長辺側面に沿ってそれぞれ配置してもよい。
【００２９】
連結具の数は２に限定されず、３以上であってもよい。
【００３０】
（実施の形態２）
図４は、本発明の実施の形態２に係る保護具２０の概略構成を示した斜視図である。
【００３１】
実施の形態１に示した保護具１０と同様に、本実施の形態２の保護具２０も、２つのコーナー保護片２１ａ，２１ｂと、２つのコーナー保護片２１ａ，２１ｂを連結する２つの連結具２２ａ，２２ｂとを備える。但し、カートリッジ１に対するコーナー保護片２１ａ，２１ｂ及び連結具２２ａ，２２ｂの配置は、実施の形態１と異なる。
【００３２】
コーナー保護片２１ａ，２１ｂは、いずれも略箱形状を有し、テープカートリッジ１のＹ軸方向の両端部に、互いに離間してそれぞれ嵌着されている。コーナー保護片２１ａは、テープカートリッジ１の２つの長辺側面のうちの一方の四隅に配された４つのコーナー部１ａ，１ｂ，１ｅ，１ｆを覆ってこれらを保護している。同様に、コーナー保護片２１ｂは、テープカートリッジ１の２つの長辺側面のうちの他方の四隅に配された４つのコーナー部１ｃ，１ｄ，１ｇ，１ｈを覆ってこれらを保護している。
【００３３】
連結具２２ａ，２２ｂは、テープカートリッジ１の２つの短辺側面に沿ってそれぞれ配置される。
【００３４】
テープカートリッジ１の一方の短辺側面に配される連結具２２ａは、コーナー保護片２１ａに接続された連結具片２２ａ１と、コーナー保護片２１ｂに接続された連結具片２２ａ２とから構成され、連結具片２２ａ１と連結具片２２ａ２とはスナップフィット機構２５により切り離し可能に接続されている。本例ではスナップフィット機構２５の構成は実施の形態１で説明した図３と同じである。但し、連結具２２ａに設けられるスナップフィット機構の構成は、図３に限定されず、これ以外の公知のスナップフィット機構を用いることができる。また、連結具片２２ａ１と連結具片２２ａ２との接続／切り離しを繰り返し行うことができれば、その構造はスナップフィット機構に限定されない。
【００３５】
本実施の形態２の保護具２０は、テープカートリッジ１のリール穴に挿入されるボスを有していない。
【００３６】
保護具２０の材料及びその製造方法は、実施の形態１の保護具１０と同じである。
【００３７】
テープカートリッジ１へ保護具２０を装着するには、まず、テープカートリッジ１のＹ軸方向の両端部にコーナー保護片２１ａ，２１ｂをそれぞれ嵌着し、次いで連結具片２２ａ１と連結具片２２ａ２とを接続すればよい。テープカートリッジ１から保護具２０を取り外すには、まず、連結具片２２ａ１と連結具片２２ａ２とを切り離し、次いで、コーナー保護片２１ａ，２１ｂをテープカートリッジ１から取り除けばよい。保護具２０は、柔軟性を有し、適度に変形及び伸びることができるので、保護具２０の装着及び取り外しの作業を容易に行うことができる。
【００３８】
連結具２２ａに加えて、連結具２２ｂも切り離し可能に構成することができる。コーナー保護片２１ａ，２１ｂを連結する連結具を、実施の形態１のように２つの主面に沿ってそれぞれ配置してもよい。連結具の数は２に限定されず、３以上であってもよい。
【００３９】
（実施の形態３）
図５は、本発明の実施の形態３に係る保護具３０の概略構成を示した斜視図である。
【００４０】
本実施の形態３の保護具３０は、４つのコーナー保護片３１ａ，３１ｂ，３１ｃ，３１ｄと、４つのコーナー保護片３１ａ，３１ｂ，３１ｃ，３１ｄを連結する４つの連結具３２ａ，３２ｂ，３２ｃ，３２ｄとを備える点で、２つのコーナー保護片と２つの連結具とを備える実施の形態１，２の保護具１０，２０と異なる。
【００４１】
コーナー保護片３１ａ，３１ｂ，３１ｃ，３１ｄは、Ｚ軸方向に沿って見たときいずれも略直角三角形であり、テープカートリッジ１のＺ軸方向に沿って見たときの四隅に、互いに離間してそれぞれ嵌着されている。コーナー保護片３１ａは、テープカートリッジ１のＺ軸方向に隣り合う２つのコーナー部１ａ，１ｂを覆ってこれらを保護し、コーナー保護片３１ｂは、テープカートリッジ１のＺ軸方向に隣り合う２つのコーナー部１ｃ，１ｄを覆ってこれらを保護し、コーナー保護片３１ｃは、テープカートリッジ１のＺ軸方向に隣り合う２つのコーナー部１ｇ，１ｈを覆ってこれらを保護し、コーナー保護片３１ｄは、テープカートリッジ１のＺ軸方向に隣り合う２つのコーナー部１ｅ，１ｆを覆ってこれらを保護している。
【００４２】
４つの連結具３２ａ，３２ｂ，３２ｃ，３２ｄは、Ｚ軸と略平行な４つの側面上に配置される。コーナー保護片３１ａとコーナー保護片３１ｂとは連結具３２ｂで連結され、コーナー保護片３１ｂとコーナー保護片３１ｃとは連結具３２ｃで連結され、コーナー保護片３１ｃとコーナー保護片３１ｄとは連結具３２ｄで連結され、コーナー保護片３１ｄとコーナー保護片３１ａとは連結具３２ａで連結される。
【００４３】
テープカートリッジ１の一方の長辺側面に配される連結具３２ａは、コーナー保護片３１ａに接続された連結具片３２ａ１と、コーナー保護片３１ｄに接続された連結具片３２ａ２とから構成され、連結具片３２ａ１と連結具片３２ａ２とはスナップフィット機構３５により切り離し可能に接続されている。本例ではスナップフィット機構３５の構成は実施の形態１で説明した図３と同じである。但し、連結具３２ａに設けられるスナップフィット機構の構成は、図３に限定されず、これ以外の公知のスナップフィット機構を用いることができる。また、連結具片３２ａ１と連結具片３２ａ２との接続／切り離しを繰り返し行うことができれば、その構造はスナップフィット機構に限定されない。
【００４４】
本実施の形態３の保護具３０は、テープカートリッジ１のリール穴に挿入されるボスを有していない。
【００４５】
保護具３０の材料及びその製造方法は、実施の形態１の保護具１０と同じである。
【００４６】
テープカートリッジ１へ保護具３０を装着するには、まず、テープカートリッジ１のＺ軸方向に沿って見たときの四隅にコーナー保護片３１ａ，３１ｂ，３１ｃ，３１ｄをそれぞれ嵌着し、次いで連結具片３２ａ１と連結具片３２ａ２とを接続すればよい。テープカートリッジ１から保護具３０を取り外すには、まず、連結具片３２ａ１と連結具片３２ａ２とを切り離し、次いで、コーナー保護片３１ａ，３１ｂ，３１ｃ，３１ｄをテープカートリッジ１から取り除けばよい。保護具３０は、柔軟性を有し、適度に変形及び伸びることができるので、保護具３０の装着及び取り外しの作業を容易に行うことができる。
【００４７】
上記の例では連結具３２ａが切り離し可能であったが、４つの連結具３２ａ，３２ｂ，３２ｃ，３２ｄのうちのいずれか少なくとも１つを切り離し可能に構成することができる。４つの連結具３２ａ，３２ｂ，３２ｃ，３２ｄのうちの２以上を切り離し可能に構成した場合、保護具３０は、独立した２以上の部品から構成されることになる。
【００４８】
コーナー保護片３１ａ，３１ｂ，３１ｃ，３１ｄを連結する連結具の構成は上記の例に限定されない。例えば、カートリッジ１の２つの主面に沿って略「Ｘ」字状の連結具をそれぞれ配置してもよい。この場合、保護具の装着／取り外しの容易性等を考慮して、カートリッジ１に対して少なくとも一方の側に配置された略「Ｘ」字状の連結具の少なくとも一箇所は切り離し可能に構成される。
【００４９】
（実施の形態４）
図６は、本発明の実施の形態４に係る保護具４０の概略構成を示した斜視図である。
【００５０】
実施の形態１に示した保護具１０と同様に、本実施の形態４の保護具４０も、２つのコーナー保護片４１ａ，４１ｂと、２つのコーナー保護片４１ａ，４１ｂを連結する２つの連結具４２ａ，４２ｂとを備える。但し、コーナー保護片４１ａ，４１ｂの形状及び連結具４２ａ，４２ｂの配置は、実施の形態１と異なる。
【００５１】
コーナー保護片４１ａ，４１ｂは、Ｚ軸方向に沿って見たときいずれも略台形であり、テープカートリッジ１のＸ軸方向の両端部に、互いに離間してそれぞれ嵌着されている。コーナー保護片４１ａは、テープカートリッジ１の２つの短辺側面のうちの一方の四隅に配された４つのコーナー部１ａ，１ｂ，１ｃ，１ｄを覆ってこれらを保護している。同様に、コーナー保護片４１ｂは、テープカートリッジ１の２つの短辺側面のうちの他方の四隅に配された４つのコーナー部１ｅ，１ｆ，１ｇ，１ｈを覆ってこれらを保護している。
【００５２】
連結具４２ａ，４２ｂは、テープカートリッジ１の２つの長辺側面に沿ってそれぞれ配置される。
【００５３】
テープカートリッジ１の一方の長辺側面に配される連結具４２ａは、コーナー保護片４１ａに接続された連結具片４２ａ１と、コーナー保護片４１ｂに接続された連結具片４２ａ２とから構成され、連結具片４２ａ１と連結具片４２ａ２とはスナップフィット機構４５により切り離し可能に接続されている。本例ではスナップフィット機構４５の構成は実施の形態１で説明した図３と同じである。但し、連結具４２ａに設けられるスナップフィット機構の構成は、図３に限定されず、これ以外の公知のスナップフィット機構を用いることができる。また、連結具片４２ａ１と連結具片４２ａ２との接続／切り離しを繰り返し行うことができれば、その構造はスナップフィット機構に限定されない。
【００５４】
コーナー保護片４１ｂの、テープカートリッジ１の下側の主面に対向する面にはボス４３ｂが設けられている。図示していないが、コーナー保護片４１ａの、テープカートリッジ１の下側の主面に対向する面にもボス４３ａが設けられている。ボス４３ａ，４３ｂは、テープカートリッジ１のリール穴（図示せず）に挿入されて、リールの位置を規制する。
【００５５】
保護具４０の材料及びその製造方法は、実施の形態１の保護具１０と同じである。
【００５６】
テープカートリッジ１へ保護具４０を装着するには、まず、テープカートリッジ１のＸ軸方向の両端部にコーナー保護片４１ａ，４１ｂをそれぞれ嵌着するとともに、テープカートリッジ１のリール穴にボス４３ａ，４３ｂを挿入し、次いで連結具片４２ａ１と連結具片４２ａ２とを接続すればよい。テープカートリッジ１から保護具４０を取り外すには、まず、連結具片４２ａ１と連結具片４２ａ２とを切り離し、次いで、コーナー保護片４１ａ，４１ｂをテープカートリッジ１から取り除けばよい。保護具４０は、柔軟性を有し、適度に変形及び伸びることができるので、保護具４０の装着及び取り外しの作業を容易に行うことができる。
【００５７】
図７は、実施の形態４に係る別の保護具４０’の概略構成を示した斜視図である。図７において、図６に示す保護具４０の構成要素と同じ構成要素には同一の符号を付している。図７は、コーナー保護片４１ａのＺ軸方向に沿って見たときの形状に関して、図６と異なる。これ以外は、図７の保護具４０’は、図６の保護具４０と同じである。
【００５８】
保護具４０，４０’において、コーナー保護片４１ａ，４１ｂに設けられたボス４３ａ，４３ｂを省略することができる。連結具４２ａに加えて、連結具４２ｂも切り離し可能に構成することができる。連結具の数は２に限定されず、３以上であってもよい。コーナー保護片４１ａ，４１ｂを連結する連結具を、実施の形態１のように２つの主面に沿ってそれぞれ配置してもよい。この場合、ボス４３ａ，４３ｂを、実施の形態１のように連結具に設けても良い。
【００５９】
（実施の形態５）
図８は、本発明の実施の形態５に係る保護具５０の概略構成を示した斜視図である。図８において、図１に示した実施の形態１の保護具１０との構成要素と同じ構成要素には同一の符号を付している。本実施の形態５に係る保護具５０は、コーナー保護片２１ａ，２１ｂの外表面に、多数の半円柱状の凹凸形状５８が一体に形成されている点で実施の形態１に係る保護具１０と異なる。凹凸形状５８を設けることで、保護具の衝撃吸収作用を向上させることができる。
【００６０】
凹凸形状は、図８に示したような半円柱に限定されず、任意の形状を選択することができる。例えば、半円球、錐体、柱体等のいずれでもよい。また、２種以上の形状が混在していてもよい。
【００６１】
凹凸形状を連結具１２ａ，１２ｂの外表面に設けてもよい。
【００６２】
更に、凹凸形状を、保護具５０の外表面に加えて、またはこれに代えて、保護具５０のテープカートリッジ１に接する面（内表面）に設けてもよい。
【００６３】
凹凸形状を設ける領域は、保護具５０の全表面であってもよいし、一部のみであってもよい。テープカートリッジ１の、耐衝撃性が相対的に低い箇所や衝撃が加えられやすい箇所などを考慮して決定することができる。
【００６４】
上述した凹凸形状を、実施の形態２〜４で説明した保護具に設けることもできる。
【００６５】
上記の実施の形態１〜５から明らかなように、本発明の保護具は、最も衝撃を受けやすいテープカートリッジ１の８つコーナー部を全て保護するので、十分なテープカートリッジ保護機能が得られる。
【００６６】
しかも、本発明の保護具は、互いに離間して装着される複数のコーナー保護片と、これらを連結する複数の連結具とから構成されるので、保護具を装着した状態においてテープカートリッジ１の外表面の一部が露出する。従って、保護具を装着した状態においてテープカートリッジ１の確認が容易である。また、保護具の材料使用量を少なくすることができるので、軽量且つ低コストである。
【００６７】
本発明の保護具は、図９に示した従来のケース９０が有していたヒンジ９４，９５を省略できる。従って、衝撃吸収性を重視して保護具の材料を選択することができ、これにより、従来のケース９０と異なり、保護具自身が衝撃を受けて破損する可能性が低減する。
【００６８】
また、テープカートリッジ１に装着していない状態では、本発明の保護具を丸めたり圧縮して減容量化したりして収納することができる。
【００６９】
本発明は、上記の実施の形態１〜５に限定されず、種々に変更することができる。
【００７０】
保護具を構成する複数のコーナー保護片は全て同一形状である必要はない。例えば、実施の形態１，２，４に示した４つのコーナー部を保護する１つのコーナー保護具片と、実施の形態３に示した２つのコーナー部を保護する２つのコーナー保護片とを組み合わせて、本発明の保護具を構成してもよい。
【００７１】
１つのコーナー保護片が保護するテープカートリッジ１のコーナー部の数は２つ以上であればよく、３つ又は５つ以上であってもよい。この場合、最も近接する２つのコーナー部（上記のカートリッジ１ではＺ軸方向に隣り合う２つのコーナー部）は、共通するコーナー保護片で保護されることが好ましい。これにより、コーナー保護片を小さくすることができるので、テープカートリッジの露出面積が増大し、また、材料使用量を少なくして保護具の軽量化と低コスト化を図ることができる。
【００７２】
コーナー保護片の、テープカートリッジ１の主面、長辺側面、又は短辺側面（但し、コーナー部を除く）に接する領域に開口等を設けてもよい。これにより、テープカートリッジの露出面積が増大し、また、材料使用量を少なくして保護具の軽量化と低コスト化を図ることができる。
【００７３】
上記の実施の形態１〜５では、本発明を２リール型のテープカートリッジ１に適用した例を示したが、本発明はこれに限定されず、例えば１つのリールのみを内蔵した１リール型のテープカートリッジに適用することもできる。適用されるテープカートリッジの外寸法などに応じて、保護具の各部の寸法を設定することができる。
【産業上の利用可能性】
【００７４】
本発明の利用分野は特に制限はなく、各種の磁気テープカートリッジ用の保護具として好適に利用することができる。
【符号の説明】
【００７５】
１  テープカートリッジ
１ａ，１ｂ，１ｃ，１ｄ，１ｅ，１ｆ，１ｇ，１ｈ  コーナー部
１０，２０，３０，４０，４０’，５０  テープカートリッジ用保護具
１１ａ，１１ｂ，２１ａ，２１ｂ，３１ａ，３１ｂ，３１ｃ，３１ｄ，４１ａ，４１ｂ  コーナー保護片
１２ａ，１２ｂ，２２ａ，２２ｂ，３２ａ，３２ｂ，３２ｃ，３２ｄ，４２ａ，４２ｂ  連結具
１３ａ，１３ｂ  ボス
１５，２５，３５，４５  スナップフィット機構
５８  凹凸形状
【図１】
2010202243.tif 000003
【図２】
2010202243.tif 000004
【図３】
2010202243.tif 000005
【図４】
2010202243.tif 000006
【図５】
2010202243.tif 000007
【図６】
2010202243.tif 000008
【図７】
2010202243.tif 000009
【図８】
2010202243.tif 000010
【図９】
2010202243.tif 000011